(57)【特許請求の範囲】
【請求項１】
被写体の撮像時の構図を確認する複数のスルー画像を生成する撮像部と、
前記撮像部で撮像した前記被写体の明るさに基づき、第１の光源の色温度によるホワイトバランス調整値と、第２の光源の色温度によるホワイトバランス調整値と、前記第１の光源の色温度と前記第２の光源の色温度との間の色温度によるホワイトバランス調整値のうちのいずれかのホワイトバランス調整値により、表示部に表示される前記スルー画像を画像処理する画像処理部と、
を備える撮像装置。
【請求項２】
請求項１記載の撮像装置において、
前記第１の光源の色温度は晴天の色温度であり、前記第２の光源の色温度は蛍光灯の色温度である撮像装置。
【請求項３】
請求項１記載の撮像装置において、
前記第１の光源の色温度は晴天の色温度であり、前記第２の光源の色温度は電球の色温度である撮像装置。
【請求項４】
請求項１から請求項３のいずれか一項に記載の撮像装置において、
前記画像処理部により画像処理される前記スルー画像は、前記複数のスルー画像のうちの最初に前記表示部に表示されるスルー画像である撮像装置。
【請求項５】
請求項１から請求項４のいずれか一項に記載の撮像装置において、
前記被写体の明るさに基づいて設定された、前記第１の光源の色温度によるホワイトバランス調整値と、前記第２の光源の色温度によるホワイトバランス調整値と、前記第１の光源の色温度と前記第２の光源の色温度との間の色温度によるホワイトバランス調整値の情報を記憶する記憶部を備える撮像装置。
【請求項６】
請求項１から請求項５のいずれか一項に記載の撮像装置において、
前記スルー画像を表示する表示部を備える撮像装置。
【請求項７】
請求項１から請求項６のいずれか一項に記載の撮像装置において、
前記スルー画像から前記被写体の輝度を測光する測光演算部を備える撮像装置。
【請求項８】
請求項１から請求項７のいずれか一項に記載の撮像装置において、
前記画像処理部は、前記撮像部で撮像した前記被写体の明るさに基づき、前記表示部に表示される前記スルー画像の彩度を調整する画像処理を行う撮像装置。
【発明の詳細な説明】
【技術分野】
【０００１】
本発明は、撮像装置に関する。
【背景技術】
【０００２】
従来、デジタルカメラやデジタルビデオカメラ等で被写体を撮像する際、ユーザがファインダを覗いたり、所定の時間間隔で被写体が撮像され液晶モニタなどに表示される低解像度画像（スルー画像）を見たりして、被写体の構図を確認する。
【０００３】
ところで、スルー画像の表示において、例えば、スルー画像のうち所定の画像領域の画像データに基づいてホワイトバランスゲインを取得することにより、ホワイトバランスゲインの初期設定完了までの時間を短縮し、電源投入から適切なホワイトバランス調整がなされた映像が表示されるまでの時間を短縮する技術がある（例えば、特許文献１参照）。
【０００４】
また、撮影レンズが向いている方位、撮影場所の位置座標、および日時に基づいて、撮影場所から望む太陽の方位と撮影レンズが向いている方向との関係を求め、逆光か否かを判別し、その判別結果と周辺光量とに基づいて、スルー画が表示される前にゲイン調整のレベルを設定する技術がある（例えば、特許文献２参照）。
【先行技術文献】
【特許文献】
【０００５】
【特許文献１】特開２０１１−２９８６６号公報
【特許文献２】特開２０１０−２３９１８４号公報
【発明の概要】
【発明が解決しようとする課題】
【０００６】
しかしながら、特許文献１のような従来技術では、電源投入後に最初に表示されるスルー画像に対するホワイトバランスゲインとして予め設定された初期値を用いるために、最初に表示されるスルー画像は、色被りなどの影響を受け不自然な画像となる場合がある。
【０００７】
また、特許文献２のような従来技術では、電源投入後、最初のスルー画像が表示されるまでに時間がかかる。
【０００８】
上記従来技術が有する問題に鑑み、本発明の目的は、適切にホワイトバランス調整されたスルー画像を電源が投入されてから短時間で表示することができる技術を提供することにある。
【課題を解決するための手段】
【０００９】
本発明を例示する撮像装置の一態様は、被写体の撮像時の構図を確認する複数のスルー画像を生成する撮像部と、撮像部で撮像した被写体の明るさに基づき、第１の光源の色温度によるホワイトバランス調整値と、第２の光源の色温度によるホワイトバランス調整値と、第１の光源の色温度と第２の光源の色温度との間の色温度によるホワイトバランス調整値のうちのいずれかのホワイトバランス調整値により、表示部に表示されるスルー画像を画像処理する画像処理部と、を備える。
【００１０】
また、第１の光源の色温度は晴天の色温度であり、第２の光源の色温度は蛍光灯の色温度であってもよい。
【００１１】
また、第１の光源の色温度は晴天の色温度であり、第２の光源の色温度は電球の色温度であってもよい。
【００１２】
また、画像処理部により画像処理されるスルー画像は、複数のスルー画像のうちの最初に表示部に表示されるスルー画像であってもよい。
【００１３】
また、被写体の明るさに基づいて設定された、第１の光源の色温度によるホワイトバランス調整値と、第２の光源の色温度によるホワイトバランス調整値と、第１の光源の色温度と第２の光源の色温度との間の色温度によるホワイトバランス調整値の情報を記憶する記憶部を備えてもよい。
【００１４】
また、スルー画像を表示する表示部を備えてもよい。
また、スルー画像から被写体の輝度を測光する測光演算部を備えてもよい。
また、画像処理部は、撮像部で撮像した被写体の明るさに基づき、表示部に表示されるスルー画像の彩度を調整する画像処理を行ってもよい。
【発明の効果】
【００１５】
本発明によれば、適切にホワイトバランス調整されたスルー画像を電源が投入されてから短時間で表示することができる。
【図面の簡単な説明】
【００１６】
【図１】本発明の一の実施形態に係るデジタルカメラの構成を示すブロック図
【図２】被写体の輝度に応じたホワイトバランス調整値および彩度調整値の一覧表の一例を示す図
【図３】本発明の一の実施形態に係るデジタルカメラの処理動作のフローチャート
【発明を実施するための形態】
【００１７】
図１は、本発明の一の実施形態に係るデジタルカメラの構成を示すブロック図である。
【００１８】
本実施形態のデジタルカメラは、撮像光学系１１、撮像素子１２、ＡＦＥ１３、バッファメモリ１４、画像処理部１５、位置情報検出部１６、記憶部１７、ＣＰＵ１８、操作部材２１、記録Ｉ／Ｆ２２、モニタ２４、時間計測部２５、バスから構成される。バッファメモリ１４、画像処理部１５、位置情報検出部１６、記憶部１７、ＣＰＵ１８、記録Ｉ／Ｆ２２、モニタ２４、時間計測部２５は、バスを介して情報伝達可能にそれぞれ接続される。また、操作部材２１はＣＰＵ１８に接続される。
【００１９】
撮像光学系１１は、ズームレンズやフォーカシングレンズを含む複数のレンズ群で構成されている。撮像光学系１１のレンズ位置は、レンズ駆動部（不図示）によって光軸方向に調整される。なお、簡単のため、図１では撮像光学系１１を１枚のレンズとして図示する。
【００２０】
撮像素子１２は、撮像光学系１１を通過した光束によって結像される被写体を撮像するデバイスである。この撮像素子１２の出力はＡＦＥ１３に入力される。なお、本実施形態の撮像素子１２は、順次走査方式の固体撮像素子（ＣＣＤ等）であっても、ＸＹアドレス方式の固体撮像素子（ＣＭＯＳ等）であってもよい。
【００２１】
また、撮像素子１２の受光面には、複数の受光素子がマトリックス状に配列されている。撮像素子１２の各受光素子には、赤色（Ｒ）、緑色（Ｇ）、青色（Ｂ）のカラーフィルタが公知のベイヤ配列にしたがって配置されている。そのため、撮像素子１２の各受光素子は、カラーフィルタでの色分解によってそれぞれの色に対応する画像信号を出力する。これにより、撮像素子１２は、カラーの画像を取得できる。
【００２２】
ここで、デジタルカメラの撮影モードにおいて、撮像素子１２は操作部材２１を構成するレリーズ釦の全押し操作に応答して記録画像（本画像）を撮像する。また、撮影モードでの撮像素子１２は、撮影待機時にも所定の時間間隔でスルー画像を撮像する。このスルー画像のデータは、撮像素子１２から間引き読み出しで出力される。なお、スルー画像のデータは、モニタ２４での画像表示や、ＣＰＵ１８による各種演算処理などに使用される。
【００２３】
ＡＦＥ１３は、撮像素子１２の出力に対してアナログ信号処理を施すアナログフロントエンド回路である。このＡＦＥ１３は、相関二重サンプリング、画像信号のゲインの調整、画像信号のＡ／Ｄ変換を行う。ＡＦＥ１３の出力は、バッファメモリ１４に一時的に記録される。なお、本実施形態では、撮像素子１２とＡＦＥ１３とで撮像部を構成する。また、バッファメモリ１４には、一般的な揮発性の半導体メモリなどを適宜選択して用いることができ、画像処理部１５による画像処理の前工程や後工程での画像データも一時的に記憶する。
【００２４】
画像処理部１５は、バッファメモリ１４に記憶された１フレーム分のスルー画像および本画像のデジタル画像信号に対して、各種画像処理（例えば、色補間処理、階調変換処理、輪郭強調処理など）を施す。また、本実施形態の画像処理部１５は、後述するように、ＣＰＵ１８から指示されるホワイトバランス調整値および彩度調整値に基づいて、上記各種画像処理とともに、デジタル画像信号に対しホワイトバランス処理を行う。
【００２５】
位置情報検出部１６は、全地球測位システム（ＧＰＳ）を構成する人工衛星からの信号を受信して、本実施形態のデジタルカメラの現在位置を検出し位置情報（経度、緯度など）を取得する。
【００２６】
記憶部１７は、デジタルカメラによって撮像された本画像のデータや、ＣＰＵ１８によって実行される制御プログラムなどを記憶する。記憶部１７には、不揮発性の半導体メモリなどを用いることができる。また、本実施形態の記憶部１７は、電源投入後など、最初にモニタ２４に表示されるスルー画像（第１のスルー画像）に対して適用される、被写体の輝度に応じたホワイトバランス調整値と彩度調整値との組合せからなる、図２（ａ）および（ｂ）に示す２種類の一覧表を記憶する。
【００２７】
ここで、図２（ａ）に示す一覧表は、輝度（ＢＶ）≧９の場合、ホワイトバランス調整値は「晴天」の色温度に基づいた調整値が用いられ、スルー画像自身が有する彩度（デフォルト値）をそのまま彩度調整値として用いられる。また、ＢＶが５以上で９より小さい場合、ホワイトバランス調整値は「晴天」と「蛍光灯」との色温度を５０％ずつ案分した調整値が用いられ、スルー画像が有する彩度（デフォルト値）を彩度調整値として用いられる。ＢＶが１以上で５より小さい場合、ホワイトバランス調整値は「蛍光灯」の色温度に基づいた調整値が用いられ、スルー画像自身が有する彩度（デフォルト値）より、例えば、２０％低減された値が彩度調整値として用いられる。ＢＶ＜１の場合、ホワイトバランス調整値は「晴天」と「蛍光灯」との色温度を５０％ずつ案分した調整値が用いられ、スルー画像の画像データが有する彩度（デフォルト値）より、例えば、２０％低減された値が彩度調整値として用いられる。
【００２８】
一方、図２（ｂ）に示す一覧表において、彩度調整値は図２（ａ）と同様に設定されるが、ホワイトバランス調整値は「晴天」および「電球」の色温度に基づいて設定される。このように、輝度に応じて複数のホワイトバランス調整値および彩度調整値の組合せを予め用意することにより、最初に表示されるスルー画像に対して、より適切にホワイトバランス処理を行うことができる。なお、輝度ＢＶの区分は図２の場合に限定されず、被写体や要求されるホワイトバランス処理の精度に応じて適宜決められることが好ましい。
【００２９】
ＣＰＵ１８は、デジタルカメラの各部を統括的に制御するプロセッサである。ＣＰＵ１８は、制御プログラムを実行することにより、スルー画像のデータに基づいて、位相差検出方式やコントラスト検出方式による公知の自動焦点（ＡＦ）制御や、自動露出（ＡＥ）演算などを行うとともに、撮像した画像や設定画面等の表示処理や、撮像した画像のファイル生成処理などを行う。また、ＣＰＵ１８は、位置情報検出部１６により取得した位置情報に基づいて、記憶部１７に記憶された図２（ａ）または（ｂ）のいずれかの一方の一覧表を選択し設定する。さらに、本実施形態のＣＰＵ１８は、測光演算部１９、ホワイトバランス（ＷＢ）算出部２０として動作する。
【００３０】
測光演算部１９は、撮像素子１２により撮像されたスルー画像を用いて、被写体の輝度を測光する。なお、本実施形態の測光演算部１９は、モニタ２４に最初に表示されるスルー画像（以下、第１フレームと称す）が撮像されるまでに撮像素子１２により撮像された複数枚のスルー画像から、被写体の輝度を測光し、ＣＰＵ１８はその被写体の輝度に基づいてＡＥ演算を行う。ただし、測光に用いられるスルー画像の枚数は、要求される第１フレームが表示されるまでの時間やホワイトバランス処理の精度に応じて決められることが好ましく、本実施形態では２〜３枚とする。
【００３１】
ＷＢ算出部２０は、測光演算部１９により測光された被写体の輝度に基づいて、スルー画像に対するホワイトバランス調整値および彩度調整値を取得する。具体的には、ＷＢ算出部２０は、第１フレームの場合、第１フレームの撮像までに測光された被写体の輝度に基づいて、位置情報検出部１６の位置情報により選択設定された一覧表から、第１フレームに対するホワイトバランス調整値および彩度調整値を取得する。一方、ＷＢ算出部２０は、第１フレーム後に撮像されるスルー画像（第２のスルー画像（以下、第２フレーム、第３フレームなどと称す））の場合、その直前に撮像された第１フレームなどのスルー画像における被写体の輝度に基づいてＡＥ演算を行い、その演算結果からホワイトバランス調整値および彩度調整値を取得する。
【００３２】
操作部材２１は、例えば、レリーズ釦、コマンドダイヤル、十字状のカーソルキー、決定釦などで構成される。そして、操作部材２１はデジタルカメラの各種入力をユーザから受け付ける。例えば、操作部材２１は、撮像操作、デジタルカメラの動作モードの切替操作や、設定画面での入力操作などに用いられる。
【００３３】
記録Ｉ／Ｆ２２には、記憶媒体２３を接続するためのコネクタが形成されている。そして、記録Ｉ／Ｆ２２は、コネクタに接続された記憶媒体２３に対してデータの書き込み／読み込みを実行する。上記記憶媒体２３は、ハードディスクや、半導体メモリを内蔵したメモリカードなどで構成される。なお、図１では記憶媒体２３の一例としてメモリカードを示す。
【００３４】
モニタ２４は、液晶モニタなどの表示部であり、ＣＰＵ１８の指示に応じて各種画像を表示する。
【００３５】
時間計測部２５は、日時を計測する一般的な水晶時計などであり、日時の情報をクロック信号としてＣＰＵ１８に出力する。ＣＰＵ１８は、クロック信号を受信し時間情報を取得する。なお、時間計測部２５は、位置情報検出部１６が受信するＧＰＳ衛星からの信号に付加される時間情報に基づいて、クロック信号を生成出力してもよい。
【００３６】
次に、図３のフローチャートを参照しつつ、本実施形態のデジタルカメラによる動作処理について説明する。ただし、本実施形態のデジタルカメラは予め撮像モードに設定されて、電源が切られているものとする。ただし、デジタルカメラがスリープモードから撮像モードに復帰した場合や、デジタルカメラのモニタ２４の表示が設定モードから撮像モードに変更された場合などについても同様に動作し詳細な説明は省略する。
【００３７】
ステップＳ１０１：ＣＰＵ１８は、ユーザによる操作部材２１の電源釦操作により、電源投入指示を受け付け、デジタルカメラの電源を投入する。ＣＰＵ１８は、時間計測部２５よりクロック信号を受信して電源投入時の時間情報を取得するとともに、記憶部１７より制御プログラムを読み込んで実行し、デジタルカメラの初期化処理を開始する。ＣＰＵ１８は、撮像素子１２に３０ｆｐｓなどのフレームレートでスルー画像を撮像させてＡＦ演算を行い、レンズ駆動部（不図示）に撮像光学系１１を駆動させ被写体に合焦させる。同時に、ＣＰＵ１８は、測光演算部１９に、第１フレームを撮像するまでに撮像された複数枚のスルー画像を用いて被写体の輝度を測光させ、その被写体の輝度に基づいてＡＥ演算を行う。
【００３８】
また、上記初期化処理において、ＣＰＵ１８は、位置情報検出部１６より現在の位置情報を取得する。ＣＰＵ１８は、現在の位置情報に基づいて、記憶部１７に記憶されている２つの一覧表のうち一方を選択して設定する。例えば、デジタルカメラの現在位置が日本国内の場合、ＣＰＵ１８は、図２（ａ）に示す一覧表を選択して設定することが好ましく、アメリカやヨーロッパなどの場合、図２（ｂ）に示す一覧表を選択して設定することが好ましい。これは、日本では室内の照明として主に蛍光灯が用いられる傾向にあり、アメリカやヨーロッパなどでは、電球が用いられる傾向にあるためである。そして、被写体の輝度とともに現在位置に基づいて一覧表を選択設定することにより、第１フレームからより適切に処理してモニタ２４に表示することができる。
【００３９】
ステップＳ１０２：ＣＰＵ１８は、記憶部１７より、デジタルカメラの電源が前回切られた時のホワイトバランス調整値および彩度調整値とともに、その時の時間情報を読み込む。ＣＰＵ１８は、前回切られた時と現在との時間情報から時間差を求め、その時間差が所定の時間内か否かを判定する。ＣＰＵ１８は、時間差が所定の時間内の場合、前回と現在との撮像環境（例えば、撮像対象である被写体や被写体の輝度など）は大きく変わっていないと判定し、前回切られた時のホワイトバランス調整値および彩度調整値を、第１フレームに対して適用する。ＣＰＵ１８は、ステップＳ１０４（ＹＥＳ側）へ移行する。一方、ＣＰＵ１８は、時間差が所定の時間より大きい場合、前回と現在との撮像環境は大きく異なっていると判定し、ステップＳ１０３（ＮＯ側）へ移行する。なお、本実施形態における所定の時間は２〜５秒とするが、要求されるホワイトバランス処理の精度などに応じて適宜決めることが好ましい。
【００４０】
ステップＳ１０３：ＣＰＵ１８のＷＢ算出部２０は、ステップＳ１０１において測光された被写体の輝度と設定された一覧表とに基づいて、第１フレームに対するホワイトバランス調整値および彩度調整値を取得する。
【００４１】
ステップＳ１０４：画像処理部１５は、第１フレームの画像データをバッファメモリ１４より読み込み、ステップＳ１０２またはステップＳ１０３で取得したホワイトバランス調整値および彩度調整値を用いて、ホワイトバランス調整および彩度調整などの画像処理を施す。ＣＰＵ１８は、画像処理された第１フレームをモニタ２４に表示する。
【００４２】
ステップＳ１０５：測光演算部１９は、第１フレームを用いて、被写体の輝度を測光する。ＣＰＵ１８は、第１フレームの被写体の輝度に基づいてＡＥ演算を行い、その演算結果から次の第２フレームに対するホワイトバランス調整値および彩度調整値を取得する。
【００４３】
ところで、取得した上記ホワイトバランス調整値および彩度調整値は、第１フレームに適用されたホワイトバランス調整値および彩度調整値と大きく異なる場合がある。そのような場合、モニタ２４に表示される第１フレームと第２フレームとの見栄えが大きく異なり、ユーザに対して違和感を与える。これを回避するために、本実施形態のＣＰＵ１８は、例えば、４〜５フレーム後のスルー画像に対して、取得した上記ホワイトバランス調整値および彩度調整値が適用されるように、第１フレームに適用されたホワイトバランス調整値および彩度調整値とそれぞれ補間調整し緩衝制御する。ＣＰＵ１８は、補間調整したホワイトバランス調整値および彩度調整値を画像処理部１５へ出力し、第２フレームに適用する。これにより、第１フレームと第２フレームとの見栄えの違いを回避しつつモニタ２４に表示させることができる。
【００４４】
ステップＳ１０６：画像処理部１５は、第２フレームの画像データをバッファメモリ１４より読み込み、ステップＳ１０５において補間調整したホワイトバランス調整値および彩度調整値を第２フレームに適用して、ホワイトバランス調整および彩度調整などの画像処理を施す。ＣＰＵ１８は、画像処理された第２フレームのスルー画像をモニタ２４に表示する。
【００４５】
ステップＳ１０７：ＣＰＵ１８は、ユーザによる操作部材２１の電源釦操作により、電源を切る指示を受け付けたか否かを判定する。ＣＰＵ１８は、電源を切る指示を受け付けた場合（ＹＥＳ側）、最後のフレームに適用されたホワイトバランス調整値および彩度調整値を、時間計測部２５より取得した現在の時間情報と対応付けて記憶部１７に記録する。ＣＰＵ１８は、一連の処理を終了する。
【００４６】
一方、ＣＰＵ１８は、電源を切る指示を受け付けていない場合、ステップＳ１０５（ＮＯ側）へ移行する。ステップＳ１０５において、例えば、測光演算部１９は、第２フレームを用い被写体の輝度を測光する。ＣＰＵ１８は、第２フレームの被写体の輝度に基づいてＡＥ演算を行い、その演算結果から新たなホワイトバランス調整値および彩度調整値を取得する。ＣＰＵ１８は、新たに取得したホワイトバランス調整値および彩度調整値それぞれを、第２フレームに適用されたホワイトバランス調整値および彩度調整値と補間調整し、補間調整したホワイトバランス調整値および彩度調整値を第３フレームに対する調整値とする。このように、ＣＰＵ１８は、第３フレーム以降のスルー画像に対してステップＳ１０５〜ステップＳ１０６の処理を、ユーザから電源を切る指示を受け付けるまで行う。
【００４７】
このように、本実施形態では、輝度に応じて決められたホワイトバランス調整値および彩度調整値の複数の組合せからなる一覧表を予め用意することにより、測光された被写体の輝度に基づいて、第１フレームに対して最適なホワイトバランス調整値および彩度調整値を決定することができ、ホワイトバランス処理が適切に施された第１フレームを短時間でモニタ２４に表示させることができる。
【００４８】
また、第２フレーム以降のスルー画像に対するホワイトバランス処理を、ホワイトバランス調整値だけでなく、彩度調整値についても補間調整した値を用いることより、見栄えよくモニタ２４に表示させることができる。
【００４９】
さらに、ホワイトバランス調整値および彩度調整値の組合せの一覧表を記憶部１７に複数記憶し、位置情報検出部１６の位置情報に基づいていずれか１つの一覧表を選択して設定することにより、より適切に第１フレームを調整しモニタ２４に表示することができる。
《実施形態の補足事項》
（１）上記実施形態では、測光演算部１９、ＷＢ算出部２０の各処理を、ＣＰＵ１８がソフトウエア的に実現する例を説明したが、ＡＳＩＣを用いてこれらの各処理をハードウエア的に実現してもよい。
【００５０】
（２）上記実施形態では、彩度調整値に対する緩衝制御を電源が切られるまで行うとしたが、本発明はこれに限定されず、例えば、第５フレームまでに対して彩度調整値の緩衝制御を行い、第６フレーム以降については、彩度調整値の緩衝制御を行わないようにしてもよい。
【００５１】
（３）上記実施形態では、被写体の輝度が低い場合のみ、第１フレームに対する彩度調整値をデフォルト値より低減した値を用いたが、本発明がこれに限定されず、例えば、被写体の輝度にかかわらず、第１フレームに対する彩度調整値をデフォルト値より低減した値を適用してもよい。これにより、第１フレームのスルー画像に対するホワイトバランス調整値の決定精度が低いことによる影響を、より効果的に軽減することができる。
【００５２】
また、図２に示す一覧表では、彩度調整値をデフォルト値より２０％低減するとしたが、低減する割合は、モニタ２４の解像度などに応じて適宜決めることが好ましい。
【００５３】
（４）上記実施形態では、記憶部１７に記憶される一覧表は図２に示す２つとしたが、本発明はこれに限定されず、記憶部１７は３つ以上の一覧表を記憶してもよい。これにより、よりきめ細かく、各国の撮影環境に応じた設定が可能となる。
【００５４】
（５）上記実施形態では、電源が前回切られた時のホワイトバランス調整値および彩度調整値を、第１フレームに適用するか否かの判定を、時間差に基づいて行ったが、本発明はこれに限定されず、前回切られた時と電源投入時とにおける輝度差に基づいて判定を行ってもよい。
【００５５】
以上の詳細な説明により、実施形態の特徴点および利点は明らかになるであろう。これは、特許請求の範囲が、その精神および権利範囲を逸脱しない範囲で前述のような実施形態の特徴点および利点にまで及ぶことを意図する。また、当該技術分野において通常の知識を有する者であれば、あらゆる改良および変更に容易に想到できるはずであり、発明性を有する実施形態の範囲を前述したものに限定する意図はなく、実施形態に開示された範囲に含まれる適当な改良物および均等物によることも可能である。
【符号の説明】
【００５６】
１１…撮像光学系、１２…撮像素子、１３…ＡＦＥ、１４…バッファメモリ、１５…画像処理部、１６…位置情報検出部、１７…記憶部、１８…ＣＰＵ、１９…測光演算部、２０…ＷＢ算出部、２１…操作部材、２２…記録Ｉ／Ｆ、２３…記憶媒体、２４…モニタ、２５…時間計測部
【図１】
0005942522.tif 000002
【図２】
0005942522.tif 000003
【図３】
0005942522.tif 000004